(57)【要約】【課題】電力系統の機器に対して操作を行う場合に使用する標準件名または操作件名の作成効率を向上させる。【解決手段】件名作成時、予め作成した標準件名２０１または操作件名３０１から手順表が類似する件名を複写して作成するのが効率的である。そのために、操作件名保存部１３０に系統設備／操作内容保存手段１３２と件名２１１を構成する件名検索情報２１３を追加し、操作件名作成画面１４２だけでなく、標準件名作成画面１４１からも系統設備／操作内容編集手段１１２によって、電力系統設備コードと操作内容に基づいて、電力系統設備コードのみで検索するよりも絞り込んだ検索結果を得ることが可能となり、件名作成全体の効率を高めることができる。【選択図】図１
2008011685.tif 000002
【特許請求の範囲】
【請求項１】
電力系統機器の操作時に使用する操作件名を作成する際に標準となる標準件名の編集を行う標準件名編集画面および操作件名を標準操作件名から複写し、必要により複写した標準件名を編集して作成するための操作件名編集画面を備え、処理要求および処理結果の表示を行う入出力装置と、
電力系統機器の操作時に使用する標準件名または操作件名を、前記標準件名編集画面または操作件名編集画面からの編集要求に応じて編集する件名編集部と、
前記件名編集部からの要求によって、編集内容を保存する標準件名保存部と、
前記件名編集部からの要求によって、編集内容を保存する操作件名保存部と、
前記入出力装置からの要求によって、前記件名編集部が参照する電力系統データ保存部と
を備えて、電力系統監視制御用の操作件名を検索するようにした電力系統監視制御用操作件名検索方法において、
前記件名編集部は、件名識別情報／手順表編集手段が、標準件名編集画面や操作件名編集画面から入力された標準件名や操作件名の手順表と件名識別情報を編集するステップと、
系統設備／操作内容編集手段が、電力系統設備情報に加えて電力系統設備の操作内容を件名検索情報として登録するステップと、
件名検索手段が、件名編集時に雛型となる件名を電力系統設備情報と合致する標準件名または操作件名を検索し、検索結果を標準件名編集画面や操作件名編集画面に表示するステップとを有し、
前記標準件名保存部は、件名識別情報／手順表保存手段が、前記件名識別情報／手順表編集手段からの要求および件名識別情報と標準手順表を保存するステップと、
系統設備／操作内容保存手段が、電力系統設備情報と、電力系統設備の操作内容から構成する件名検索情報を保存するステップと、
標準件名保存領域が、前記件名検索情報を保存しておくステップとを有し、
前記操作件名保存部は、件名識別情報／手順表保存手段が、件名識別情報と操作手順表を保存するステップと、
系統設備／操作内容保存手段が、電力系統設備情報と電力系統設備の操作内容とを含む件名検索情報を保存するステップと、
操作件名保存領域が、前記件名検索情報を保存しておくステップと
を有することを特徴とする電力系統監視制御用操作件名検索方法。
【請求項２】
前記件名編集部は、前記系統設備／操作内容編集手段に替えて、系統設備／操作内容／操作順番編集手段が、件名検索情報として、電力系統設備情報と操作内容に加えて、電力系統設備の操作順番を登録するステップと、
前記件名検索手段が、電力系統設備情報と操作内容に加えて、操作順番が合致する件名検索情報を有する標準件名または操作件名を検索し、検索結果を標準件名編集画面や操作件名編集画面に表示するステップを有し、
前記標準件名保存部は、前記系統設備／操作内容保存手段に替えて、系統設備／操作内容／操作順番保存手段が、件名検索情報として、電力系統設備情報と操作内容に加えて、電力系統設備の操作順番を保存するステップと、
標準件名保存領域が、前記件名検索情報を保存しておくステップとを有し、
前記操作件名保存部も、前記系統設備／操作内容保存手段に替えて、系統設備／操作内容／操作順番保存手段が、件名検索情報として、電力系統設備情報と操作内容に加えて、電力系統設備の操作順番を保存するステップと、
操作件名保存領域が、前記件名検索情報を保存しておくステップとを有する
ことを特徴とする請求項１に記載の電力系統監視制御用操作件名検索方法。
【請求項３】
前記件名編集部は、系統設備／操作内容自動作成手段が、前記標準件名編集画面や操作件名編集画面からの要求により、標準手順表や操作手順表に登録した電力系統設備情報と操作内容から、前記件名検索情報として保存した電力系統設備情報と操作内容を自動的に作成し、前記系統設備／操作内容保存手段に対して、保存要求を行うステップを、さらに有する
ことを特徴とする請求項１記載の電力系統監視制御用操作件名検索方法。
【請求項４】
前記件名編集部は、系統設備／操作内容／操作順番自動作成手段が、前記標準件名編集画面や操作件名編集画面からの要求により、標準手順表や操作手順表に登録した電力系統設備情報と操作内容から、前記件名検索情報として保存した電力系統設備情報と操作内容と操作順番を自動的に作成し、前記系統設備／操作内容／操作順番保存手段に対して、保存要求を行うステップを、さらに有する
ことを特徴とする請求項２記載の電力系統監視制御用操作件名検索方法。
【請求項５】
電力系統機器の操作時に使用する操作件名を作成する際に標準となる標準件名の編集を行う標準件名編集画面および操作件名を標準操作件名から複写し、必要により複写した標準件名を編集して作成するための操作件名編集画面を備えた入出力装置と、
電力系統機器の操作時に使用する標準件名または操作件名を、前記標準件名編集画面または操作件名編集画面からの編集要求に応じて編集する件名編集部と、
前記件名編集部からの要求によって、編集内容を保存する標準件名保存部と、
前記件名編集部からの要求によって、編集内容を保存する操作件名保存部と、
前記入出力装置からの要求によって、前記件名編集部が参照する電力系統データ保存部と
を備えた電力系統監視制御用操作件名検索装置において、
前記件名編集部は、標準件名編集画面や操作件名編集画面から入力された標準件名や操作件名の手順表と件名識別情報を編集する件名識別情報／手順表編集手段と、
電力系統設備情報に加えて電力系統設備の操作内容を件名検索情報として登録する系統設備／操作内容編集手段と、
件名編集時に雛型となる件名を電力系統設備情報と合致する標準件名または操作件名を検索し、検索結果を標準件名編集画面や操作件名編集画面に表示する件名検索手段とを備え、
前記標準件名保存部は、前記件名識別情報／手順表編集手段からの要求および件名識別情報と標準手順表を保存する件名識別情報／手順表保存手段と、
電力系統設備情報と電力系統設備の操作内容から構成する件名検索情報を保存する系統設備／操作内容保存手段と、
前記件名検索情報を保存しておく標準件名保存領域を備え、
前記操作件名保存部は、件名識別情報と操作手順表を保存する件名識別情報／手順表保存手段と、
電力系統設備情報と電力系統設備の操作内容とを含む件名検索情報を保存する系統設備／操作内容保存手段と、
前記件名検索情報を保存しておく操作件名保存領域と
を備えることを特徴とする電力系統監視制御用操作件名検索装置。
【請求項６】
各ステップをコンピュータに実効させることを特徴とする請求項１乃至４のいずれか１項に記載の電力系統監視制御用操作件名検索方法のプログラム。
【発明の詳細な説明】
【技術分野】
【０００１】
本発明は、電力系統の機器を操作するために、操作件名または標準件名の作成時に、手順表が類似する標準件名または操作件名を検索する方法、装置およびプログラムに関する。
【背景技術】
【０００２】
電力系統では、日々の電力需要および定時の設備の保守点検に合わせて、開閉器や切替スイッチ等の機器操作を行う。この機器操作は、通常、操作の手順を示す操作件名を予め作成し、作成された操作件名の手順に従って行われる。
【０００３】
図１４は、従来技術を使用した電力系統監視制御用操作件名検索方法のための機能ブロック図であり、構成要素とそれらの機能関係を示している。  
同図において、１０１は電力系統、１０２は情報伝送装置、１０３は情報伝送装置１０２を介して電力系統１０１の監視および操作を行う電子計算機、１０４は電子計算機１０３に対して処理要求および処理結果の表示を行う入出力装置としてのＣＲＴまたはＬＣＤ（液晶パネル）装置である。
【０００４】
上記ＣＲＴ／ＬＣＤ装置１０４は、電力系統の機器を操作する場合に使用する操作件名を作成する際に、標準となる標準件名の編集を行うための標準件名編集画面１４１と、操作件名を標準操作件名から複写し、複写した標準件名を編集して作成する操作件名編集画面１４２を表示する。
【０００５】
上記電子計算機１０３は、標準件名または操作件名を標準件名編集画面１４１または操作件名編集画面１４２からの編集要求に応じて編集する件名編集部１１０と、操作件名を作成する際に、標準となる標準件名を保存する標準件名保存部１２０と、情報伝送装置１０２を介して電力系統１０１に対して操作を行うための操作手順を含む操作件名を保存する操作件名保存部１３０と、電力系統データ保存部１５０とから構成されている。
【０００６】
さらに具体的な構成を述べる。  
上記件名編集部１１０は、件名識別情報／手順表編集手段１１１と、系統設備編集手段６１２と、件名検索手段１１３とから構成されている。
【０００７】
ここで、上記件名識別情報／手順表編集手段１１１は、標準件名保存部１２０内の標準件名保存領域１２３内、または操作件名保存部１３０内の操作件名保存領域１３３内の件名を他件名と識別するための件名番号２１５、件名名称２１６と、操作の順番である手順表２１４（図１５（Ａ）参照）とを、ＣＲＴ／ＬＣＤ装置１０４内の標準件名編集画面１４１または操作件名編集画面１４２からの編集要求に応じて編集する。
【０００８】
上記系統設備編集手段６１２は、操作件名を作成する際に手順表の内容が類似している標準件名の検索を行うために、標準件名保存部１２０内の標準件名保存領域１２３に保存する件名検索情報２１３（図１５（Ａ）参照）を編集する。
【０００９】
件名検索手段１１３は、標準件名保存領域から、標準件名の件名検索情報２１３を検索する。
【００１０】
標準件名保存部１２０は、件名識別情報／手順表編集手段１１１からの要求によって、標準件名保存領域１２３に編集内容を保存する件名識別情報／手順表保存手段１２１と、系統設備編集手段６１２からの要求によって、標準件名保存領域１２３に件名検索情報２１３を保存する系統設備保存手段６２２と、標準件名を保存する標準件名保存領域１２３とから構成される。
【００１１】
操作件名保存部１３０は、件名識別情報／手順表編集手段１１１からの要求によって、操作件名保存領域１３３に編集内容を保存する件名識別情報／手順表保存手段１３１と、操作件名を保存する操作件名保存領域１３３から構成される。
【００１２】
電力系統データ保存部１５０は、ＣＲＴ／ＬＣＤ装置１０４からの要求によって、件名識別情報／手順表編集手段１１１または系統設備編集手段６１２が参照する電力系統データ保存領域１５１を有する。
【００１３】
図１５は、標準件名保存部１２０中の標準件名保存領域１２３に保存される標準件名２０１の構成図（Ａ）とその一例（Ｂ）を示す。  
図１５（Ａ）中、件名（１，２〜ｙ）２１１は、後述する件名識別情報２１２、件名検索情報２１３および手順表２１４から構成されている。
【００１４】
上記件名識別情報２１２は、標準件名を他の標準件名と識別するための件名番号２１５と各標準件名の目的を示すタイトルである件名名称２１６から構成されている。
【００１５】
上記件名検索情報２１３は、電力系統機器の集約情報である電力系統設備コード２１９を有する複数の検索情報（１，２〜ｍ）２１７から構成される。
【００１６】
上記手順表２１４は、操作の実行順番を示す操作順番２２１、電力系統の機器毎に固有に定義された電力系統機器コード２２２、電力系統機器に対する操作内容を定義する操作方向２２３、電力系統機器の操作、電力系統機器状態の確認、現地作業員に電力系統機器の操作指令を行う指令などの種別を定義する操作種別２２４を有する複数の操作（１，２〜ｎ）２１８から構成されている。
【００１７】
図１５（Ｂ）において、同図は、件名“１”の例であるので、件名番号２１５は、“１”となっている。他の件名“２”や件名“３”の場合、件名番号２１５に、“２”や“３”が定義されている。件名名称２１６は、“○○線切替”となっているが、一般に、当該標準件名の内容が認識できる名称を定義する。
【００１８】
上記検索情報２１７を構成する電力系統設備コード２１９には、送電線の設備コードである“○○線１Ｌ”が定義されている。
【００１９】
操作順番２２１は、“１”となっているため、当該手順表における複数の操作の中で、操作２１８中の１番目に行う「操作１」を定義しており、操作方向２２３は“切”、操作種別２２４は“操作”となっており、電力系統機器コード２２２には、 “△△ＳＳ、○○線１Ｌ、ＣＢ”が定義されている。
【００２０】
したがって、図５（Ａ）、（Ｂ）は、△△ＳＳ、○○線１Ｌ、ＣＢに対して“切”の操作を行う操作２１８を定義した例であるといえる。
【００２１】
図１６は、操作件名保存領域１３３に保存される操作件名の構成図（A）とその一例（B）を示す。  
図１６（Ａ）における操作件名３０１の構成は、図１５（Ａ）に示した標準件名２０１の構成と似ているが、以下の点が異なる。
【００２２】
操作件名３０１には、件名識別情報２１２を構成する情報として、標準件名２０１にはなかった当該操作件名の操作を行う予定日時を定義する操作予定日時３１０があり、標準件名２０１にあった件名検索情報２１３が、操作件名３０１には存在しない。
【００２３】
これは、標準件名２０１は、操作件名３０１を作成する上での標準となる件名であるため、操作予定日時３１０は必要がないからである。
【００２４】
ところで、従来は、操作件名３０１を作成する場合に、標準件名２０１に対してのみ件名の検索を行っていたため、操作件名３０１には、件名検索情報２１３が存在しなかった。
【００２５】
図１５（Ａ）に示す情報の中の電力系統設備コード２１９、および図１５（Ａ）と図１６（Ａ）に示す情報の中の電力系統機器コード２２２は、ＣＲＴ装置１０４上のオペレーションによって、件名編集部１１０の件名識別情報／手順表編集手段１１１または系統設備編集手段６１２を介して、電力系統データ保存領域１５１に登録されている情報の中から、当該件名の検索情報または操作対象の情報から選ばれて定義されていた。
【００２６】
通常、操作件名３０１の作成は、予め作成しておいた標準件名２０１から、手順表の内容が類似する件名を検索し、検索条件に合致した複数の標準件名２０１の一覧をＣＲＴ装置１０４上の操作件名編集画面１４２に表示し、操作件名編集画面１４２から電力系統設備コードを検索し、件名検索手段１１３に通知することによって、実行されていた。  
図１７は、操作件名３０１の作成時に、図１５に示した電力系統設備コード２１９によって、作成しようとする件名と類似した標準件名の検索を行う件名検索手段１１３の処理内容を示すフローチャートである。
【００２７】
先ず、件名検索手段１１３は、標準件名の件名検索情報（電力系統設備コード）を収集（Ｓ９１１）する。次に、検索要求された情報と標準件名の件名検索情報（電力系統設備コード）が一致する情報を抽出し（Ｓ９１２）、一致する情報がある（Ｙｅｓ）ならば（Ｓ５１３）、抽出情報を有する件名識別情報２１２を収集し（Ｓ５１４）、収集した件名識別情報２１２の表示要求を、操作件名編集画面１４２に対して行う（Ｓ５１５）。一致する情報がない（Ｎｏ）のであれば（Ｓ５１３）、一致する件名がない旨の表示要求を、操作件名編集画面１４２に対して行い（Ｓ５１６）、処理を終了する。
【００２８】
表示要求を受信した操作件名編集画面１４２は、一覧形式で件名識別情報２１２をＣＲＴ／ＬＣＤ装置１０４に表示する。
【００２９】
この後、オペレータは、表示された複数の標準件名２０１から、１つの件名を操作件名３０１に複写する要求を、件名識別情報／手順表編集手段１１１に対して行い、１つの件名を操作件名３０１に複写した後、操作予定日時３１０の登録、必要ならば複写した手順表２１４の内容の変更、追加、削除を行い、目的とする操作件名３０１（図１６参照）の作成を完成させる。
【００３０】
具体的な例として、図１６（Ｂ）の操作予定日時３１０に、２０１０年４月２日水曜日６時００分と定義した例を示す。これは、図１５（Ｂ）の標準件名を複写して図１６（Ｂ）の操作件名を作成した場合であって、操作１の内容については、何も変更しなかった例を示している。
【００３１】
ここで、予め作成する標準件名２０１は、ＣＲＴ装置１０４上の標準件名編集画面１４１から、件名識別情報／手順表編集手段１１１および系統設備編集手段６１２に対して、編集要求、編集結果の保存要求をすることにより、件名識別情報／手順表保存手段１２１および系統設備保存手段６２２を介して、標準件名保存領域１２３に、編集した標準件名２０１を保存する。
【００３２】
なお、本発明と類似した提案が種々出されており、例えば、階層型の条件木構造による条件分岐データ構造を用いた検索方法による操作手順作成装置（特許文献１）、手順表を差分管理して格納に必要な計算機資源を少なくする方法による電力系統監視制御装置（特許文献２）、少ない計算機資源で検索を行うために、検索条件に対応する選択肢と、選択肢の選択状態から構成する表形式データを用いた検索方法による操作手段検索方法（特許文献３）、および運転操作情報を記憶部に記憶させ、記憶された運転操作情報を選択して、監視・制御を実行し、運転員の入力操作の負担を軽減する方法による電力系統監視制御方法（特許文献４）等が提案されている。
【００３３】
しかしながら、操作手順作成装置（特許文献１）は、ＡＩ技術を用いているので、複雑すぎて実装するのが難しい。電力系統監視制御装置（特許文献２）は、検索するパターンが少な過ぎる。操作手段検索方法（特許文献３）は、（特許文献１）の派生的なものであり、複雑過ぎる。また、電力系統監視制御方法（特許文献４）は、検索方法を明記していない。
【特許文献１】特開平９−６６１９号公報
【特許文献２】特開平７−３１０５９号公報
【特許文献３】特開２００３−１５０２４１号公報
【特許文献４】特開２００４−８０８８９号公報
【発明の開示】
【発明が解決しようとする課題】
【００３４】
上記したように、電力系統の操作件名３０１は、標準件名２０１を基にして作成するが、電力系統に対する操作２１８および操作順番２２１は、季節、曜日、時間帯等により違いがあるので、操作件名３０１を効率良く作成するためには、標準件名２０１を予め数多く作成して、操作件名３０１に複写した後の編集内容を少なくする必要があった。
【００３５】
その結果、操作件名編集画面１４２から件名検索を行っても、電力系統設備コード２１９のみによる検索では、条件に合致する標準件名２０１が数多く抽出されるので、抽出された標準件名２０１の中から、複写する件名を目視によって探すのに時間を要していた。
【００３６】
また、件名検索手段１１３の使用は、操作件名編集画面１４２からのみに限定されており、標準件名２０１を作成するときには、件名検索手段１１３は、使用できなかった。そのため、すべての件名からオペレータが目視により複写対象の件名を探す必要があった。
【００３７】
また、件名検索情報２１３が、標準件名２０１の中には持たれていたが、操作件名３０１の中には持たれていないので、検索したい対象は、標準件名２０１の中に限定されていた。そのため、作成しようとする操作件名と類似する件名が他の操作件名の中にあると分かっている場合にも、自動的には選択できず、すべての操作件名からオペレータが目視により探す必要があった。
【００３８】
本発明は、上記事情に鑑みて行ったものであり、標準件名２０１及び操作件名３０１の作成において、件名作成効率を向上させることが可能な電力系統監視制御用操作件名検索方法を提供することを目的としている。
【課題を解決するための手段】
【００３９】
上記の目的を解決するために、本発明の請求項１に係る電力系統監視制御用操作件名検索方法は、電力系統機器の操作時に使用する操作件名を作成する際に標準となる標準件名の編集を行う標準件名編集画面および操作件名を標準操作件名から複写し、必要により複写した標準件名を編集して作成するための操作件名編集画面を備え、処理要求および処理結果の表示を行う入出力装置と、電力系統機器の操作時に使用する標準件名または操作件名を、前記標準件名編集画面または操作件名編集画面からの編集要求に応じて編集する件名編集部と、件名編集部からの要求によって、編集内容を保存する標準件名保存部と、件名編集部からの要求によって、編集内容を保存する操作件名保存部と、入出力装置からの要求によって、前記件名編集部が参照する電力系統データ保存部とを備えて、電力系統監視制御用の操作件名を検索するようにした電力系統監視制御用操作件名検索方法において、件名編集部は、件名識別情報／手順表編集手段が、標準件名編集画面や操作件名編集画面から入力された標準件名や操作件名の手順表と件名識別情報を編集するステップと、系統設備／操作内容編集手段が、電力系統設備情報に加えて電力系統設備の操作内容を件名検索情報として登録するステップと、件名検索手段が、件名編集時に雛型となる件名を電力系統設備情報と合致する標準件名または操作件名を検索し、検索結果を標準件名編集画面や操作件名編集画面に表示するステップとを有し、標準件名保存部は、件名識別情報／手順表保存手段が、件名識別情報／手順表編集手段からの要求および件名識別情報と標準手順表を保存するステップと、系統設備／操作内容保存手段が、電力系統設備情報と、電力系統設備の操作内容から構成する件名検索情報を保存するステップと、標準件名保存領域が、前記件名検索情報を保存しておくステップとを有し、操作件名保存部は、件名識別情報／手順表保存手段が、件名識別情報と操作手順表を保存するステップと、系統設備／操作内容保存手段が、電力系統設備情報と電力系統設備の操作内容とを含む件名検索情報を保存するステップと、操作件名保存領域が、前記件名検索情報を保存しておくステップとを有することを特徴とする。
【００４０】
本発明の請求項２に係る電力系統監視制御用操作件名検索方法は、請求項１に記載の操作件名検索方法において、件名編集部は、系統設備／操作内容編集手段に替えて、系統設備／操作内容／操作順番編集手段が、件名検索情報として、電力系統設備情報と操作内容に加えて、電力系統設備の操作順番を登録するステップと、件名検索手段が、電力系統設備情報と操作内容に加えて、操作順番が合致する件名検索情報を有する標準件名または操作件名を検索し、検索結果を標準件名編集画面や操作件名編集画面に表示するステップを有し、標準件名保存部は、系統設備／操作内容保存手段に替えて、系統設備／操作内容／操作順番保存手段が、件名検索情報として、電力系統設備情報と操作内容に加えて、電力系統設備の操作順番を保存するステップと、標準件名保存領域が、前記件名検索情報を保存しておくステップとを有し、操作件名保存部も、系統設備／操作内容保存手段に替えて、系統設備／操作内容／操作順番保存手段が、件名検索情報として、電力系統設備情報と操作内容に加えて、電力系統設備の操作順番を保存するステップと、操作件名保存領域が、件名検索情報を保存しておくステップとを有することを特徴とする。
【００４１】
本発明の請求項３に係る電力系統監視制御用操作件名検索方法は、請求項１記載の電力系統監視制御用操作件名検索方法において、件名編集部は、系統設備／操作内容自動作成手段が、標準件名編集画面や操作件名編集画面からの要求により、標準手順表や操作手順表に登録した電力系統設備情報と操作内容から、件名検索情報として保存した電力系統設備情報と操作内容を自動的に作成し、系統設備／操作内容保存手段に対して、保存要求を行うステップを、さらに有することを特徴とする。
【００４２】
本発明の請求項４に係る電力系統監視制御用操作件名検索方法は、請求項２記載の電力系統監視制御用操作件名検索方法において、件名編集部は、系統設備／操作内容／操作順番自動作成手段が、標準件名編集画面や操作件名編集画面からの要求により、標準手順表や操作手順表に登録した電力系統設備情報と操作内容から、件名検索情報として保存した電力系統設備情報と操作内容と操作順番を自動的に作成し、系統設備／操作内容／操作順番保存手段に対して、保存要求を行うステップを、さらに有することを特徴とする。
【発明の効果】
【００４３】
請求項１または請求項２の発明によれば、操作件名編集画面だけでなく、標準件名編集画面からも、標準件名作成時に、件名検索手段を用いることが可能になる。そのため、標準件名作成時にも、複写する件名の候補となる件名を、検索により絞り込むことが可能となる。したがって、標準件名の作成時にも、操作件名作成時と同様に高効率に、標準件名の作成を行うことができる。
【００４４】
また、標準件名だけでなく、操作件名に対しても、件名検索情報を有することにしている。そのため、検索の候補となる件名を、標準件名だけではなく、操作件名も対象とすることになり、件名検索手段による抽出対象の件名数が増えことにより、複写対象となる類似件名の抽出に漏れが少なくなる。したがって、標準件名と操作件名の作成を効率よく行うことができる。
【００４５】
なお、検索対象の件名が増えることになるが、請求項１に係る電力系統監視制御用操作件名検索方法は、操作件名の検索情報として電力系統設備コードを加えて操作内容を限定し、請求項２に係る電力系統監視制御用操作件名検索方法では、さらに、操作順番を加えて操作内容を限定したので、件名検索手段により検索条件に合致する件名をより絞り込むことが可能になる。したがって、その後の目視による複写対象の件名選択を効率よく行うことができる。
【００４６】
請求項３または請求項４の発明によれば、件名検索情報を自動的に作成する系統設備／操作内容自動作成手段、または、系統設備／操作内容／操作順番自動作成手段により、オペレータによる検索情報の登録が軽減されるので、件名作成を効率よく行うことができる。 
また、オペレータによる検索情報の登録間違いによる誤った操作内容の標準件名と操作件名の作成、または、誤った操作順番の標準件名と操作件名の作成を防止することができる。
【発明を実施するための最良の形態】
【００４７】
以下に図面を参照しながら、本発明の実施の形態について説明する。
【実施例１】
【００４８】
図１は、本発明の実施例１に従った電力系統監視制御用操作件名検索方法のための機能ブロック図である。図１において、図１４の従来方法と同一部分については、同一符号を付して説明を省略する。以下に、従来方法と異なる点について説明する。
【００４９】
先ず、件名編集部１１０中に新たに設けた系統設備／操作内容編集手段１１２は、ＣＲＴ／ＬＣＤ装置１０４に表示した標準件名編集画面１４１または操作件名編集画面１４２から、編集要求または編集結果の保存要求を受けて、これらの要求の電力系統設備とその操作内容の編集を行う。編集された結果は、これも新たに設けた系統設備／操作内容保存手段１２２または同名の系統設備／操作内容保存手段１３２を介して、標準件名保存領域１２３または操作件名保存領域１３３に保存される。
【００５０】
上記編集された結果は、図２の標準件名２０１および図３の操作件名３０１に示す件名検索情報２１３に含まれる検索情報２１７を構成する電力系統設備コード２１９と操作内容２２０に保存される。
【００５１】
ここで、電力系統設備コード２１９には、系統設備／操作内容編集手段１１２によって、電力系統電力保存部１５０中の電力系統データ保存領域１５１に登録されている情報の中から、オペレータが、ＣＲＴ装置１０４の標準件名編集画面１４１または操作件名編集画面１４２上で選択した情報が保存される。
【００５２】
次に、標準件名保存部１２０に新たに設けた系統設備／操作内容保存手段１２２は、件名編集部１１０にこれも新たに設けた系統設備／操作内容編集手段１１２からの保存要求を受けて、標準件名保存領域１２３に、図２の標準件名および図３の操作件名に示す電力系統設備コード２１９と操作内容２２０を保存する。
【００５３】
また、操作件名保存部１３０に新たに設けた系統設備／操作内容保存手段１３２も、件名編集部１１０の上記系統設備／操作内容編集手段１１２からの保存要求を受けて、操作件名保存領域１３３に、図２の標準件名および図３の操作件名に示す電力系統設備コード２１９と操作内容２２０を保存する。その他は図１４の従来例と同様である。
【００５４】
図２は、図１に示す標準件名保存領域１２３に保存する標準件名の構成（Ａ）とその一例（Ｂ）を示す。図２（Ａ）において新たに設けられた操作内容２２０は、検索情報２１７を構成するものであり、図１に示す新たに設けられた系統設備／操作内容編集手段１１２が編集した内容を、新たに設けられた系統設備／操作内容保存手段１２２により保存されたものである。その他は図１５と同様である。
【００５５】
図３は、図１に示す操作件名保存領域１３３に保存する操作件名の構成（Ａ）とその一例（Ｂ）を示す。図３（Ａ）における新たに設けられた操作内容２２０も、図２（Ａ）に示す操作内容と同一の情報を示し、その他は図１６と同様である。
【００５６】
図２（Ｂ）と図３（Ｂ）の電力系統設備コード２１９は、“○○線１Ｌ”を登録した例を示し、図２（Ｂ）と図３（Ｂ）の操作内容２２０の欄には、 “停止”を登録した例を示す。
【００５７】
図４は、電力系統データ保存領域１５１に格納されている電力系統データの構成例４１０を示す。
【００５８】
電力系統上の情報は、電力系統４１１から派生した情報であり、電気所４１２、設備４１３、機器４１４、接続線４１５、区間４１６、送電線４１７、変圧器４１８、母線４１９、引出口４２０、開閉器４２１、４３ＳＷ４２２等が連係する情報である。
【００５９】
電気所４１２は、設備４１３を集約する情報である。設備４１３は、機器４１４を集約する情報であり、変圧器４１８、母線４１９、引出口４２０と連係関係を持つ。接続線４１５は区間４１６を集約する情報であり、送電線４１７と連係関係を持つ。区間４１６は接続線４１５に所属し、引出口４２０と連係関係を持つ。
【００６０】
例えば、電気所４１２には“△△ＳＳ”、設備４１３と引出口４２０には“△△ＳＳ、○○線１Ｌ”、機器４１４には“△△ＳＳ、○○線１Ｌ、ＣＢ”が定義され、接続線４１５と送電線４１７には“○○線１Ｌ”、区間には“○○線１Ｌ、○○線１Ｌ（△△電気所側）”が定義される。
【００６１】
図５は、件名編集部１１０の件名検索手段１１３が、従来の操作件名作成時だけでなく、標準件名作成時にも、作成しようとする件名と類似した標準件名または操作件名の検索処理を、標準件名編集画面１４１または操作件名編集画面１４２から従来の電力系統設備コードだけでなく、操作内容をも登録することによって開始するフローチャートを示す。
【００６２】
本実施例１における件名編集部１１０の件名検索手段１１３は、先ず、図２に示す標準件名の件名検索情報２１３が有する複数の検索情報２１７中の電力系統設備コード２１９と操作内容２２０を収集し（ステップＳ５１１）、その中から検索要求された情報（電力系統設備コード２１９と操作内容２２０）と一致する情報を抽出し（ステップＳ５１２）、一致する情報の有無を判定する（ステップＳ５１３）。
【００６３】
一致する情報が有る（Ｙｅｓ）場合、抽出情報を保存する件名識別情報２１２を収集し（ステップＳ５１４）、収集した件名識別情報の表示要求を、処理要求をしてきた標準件名編集画面１４１または操作件名編集画面１４２に対して行う（ステップＳ５１５）。ステップＳ５１３で一致する情報が無ければ（Ｎｏ）、一致する件名がない旨の表示要求を標準件名編集画面１４１または操作件名編集画面１４２に対して行う（ステップＳ５１６）。
【００６４】
次に、操作件名の件名検索情報２１３が有する複数の検索情報２１７中の電力系統設備コード２１９と操作内容２２０を収集し（ステップＳ５１７）、上記したステップＳ５１２からステップＳ５１６までの処理を再度行い、処理を終了する。
【００６５】
このように、従来のように操作件名編集画面１４２から操作件名の作成時に件名検索手段１１３を用いるだけでなく、標準件名検索画面１４１からの標準件名作成時にも件名検索手段１１３を用いることを可能にしている。
【００６６】
したがって、標準件名作成時にも複写する件名の候補を検索により絞り込むことが可能となり、従来、オペレータが黙視により選択していたのと比べると、標準件名の作成効率を著しく向上させることが可能となる。また、操作件名に対しても、従来どおり件名編集部１１０が件名検索情報２１３を有することにより、複写する件名の候補となる件名を標準件名だけではなく、操作件名も対象となる。
【００６７】
作成しようとする件名に類似した件名が操作件名にある場合には、件名検索手段１１３により抽出が可能であり、標準件名と操作件名の作成効率の向上が可能となる。
【００６８】
検索対象の件名が、標準件名のみではなくて、標準件名と操作件名に増えることになるが、検索情報２１７が電力系統設備コード２１９と操作内容２２０を追加することにより、従来のように電力系統設備コード２１９のみで件名を絞り込む以上に件名を絞り込むことが可能になるので、その後の目視による複写対象の件名選択を効率化することができるとともに、絞り込んで件名数を減らしたことにより、誤った操作内容の手順を含む標準件名と操作件名の作成を防止することが可能となる。
【実施例２】
【００６９】
図６は、本発明の実施例２に従った電力系統監視制御用操作件名検索のための機能ブロック図である。図６において図１と同一部分については同一符号を付して説明を省略する。以下に、実施例１と異なる点について説明する。
【００７０】
件名編集部１１０の系統設備／操作内容／順番編集手段１０１２は、ＣＲＴ／ＬＣＤ装置１０４に表示した標準件名編集画面１４１または操作件名編集画面１４２からの編集要求、編集結果の保存要求を受けて、電力系統設備と操作内容と操作順番の編集を行い、その編集結果を、標準件名保存部１２０内の系統設備／操作内容保存手段１０２２または操作件名保存部１３０内の系統設備／操作内容保存手段１０３２を介して、標準件名保存領域１２３または操作件名保存領域１３３の中にあって、図７及び図８に示す件名検索情報２１３が有する検索情報２１７中の電力系統設備コード２１９と操作内容２２０と操作順番１１１１に、保存する。
【００７１】
すなわち、上記系統設備／操作内容／順番保存手段１０２２は、系統設備／操作内容編集手段１０１２からの保存要求を受けて、標準件名保存領域１２３に、図７に示した電力系統設備コード２１９と操作内容２２０と操作順番１１１１を、保存する。
【００７２】
また、上記系統設備／操作内容／順番保存手段１０３２も、系統設備／操作内容編集手段１０１２からの保存要求を受けて、操作件名保存領域１３３に、図８に示した電力系統設備コード２１９と操作内容２２０と操作順番１１１１を、保存する。
【００７３】
その他は図１と同様である。
【００７４】
図７は、標準件名保存領域１２３に保存する標準件名の構成（Ａ）とその一例（Ｂ）を示し、図８は、操作件名保存領域１３３に保存する操作件名の構成（Ａ）とその一例（Ｂ）を示す。
【００７５】
図７（Ａ）または図８（Ａ）において、件名検索情報２１３が有する検索情報２１７を構成する操作順番１１１１は、系統設備／操作内容／順番編集手段１０１２で編集した内容を、標準件名保存部１２０の系統設備／操作内容／順番保存手段１０２２または操作件名保存部１３０の系統設備／操作内容／順番保存手段１０３２を介して保存される。その他は、図２（Ａ）または図３（Ａ）と同様である。
【００７６】
図７（Ｂ）および図８（Ｂ）の操作順番１１１１は、 “１”を登録した例を示す。
【００７７】
図９は、操作件名作成時または標準件名作成時に、作成しようとする件名と類似した標準件名または操作件名の検索を、電力系統設備コードと操作内容と操作順番を標準件名編集画面１４１または操作件名編集画面１４２から登録することによって、件名検索手段１１３が行う様子を示すフローチャートである。
【００７８】
本実施例２における件名編集部１１０の件名検索手段１１３は、先ず、標準件名２０１の件名検索情報２１３の中の複数の検索情報２１７を構成する電力系統設備コード２１９と操作内容２２０と操作順番１１１１を収集する（ステップＳ１３１１）。検索要求された情報（電力系統設備コード２１９と操作内容２２０と操作順番１１１１）と標準件名保存領域１２３の件名検索情報２１７が一致する情報を抽出し（ステップＳ１３１２）、一致する情報の有無を判定する（ステップＳ５１３）。
【００７９】
一致する情報が有る場合（Ｙｅｓ）、抽出情報を保存する件名識別情報２１２を収集し（ステップＳ５１４）、収集した件名識別情報の表示要求を、処理要求した標準件名編集画面１４１または操作件名編集画面１４２に対して行う（ステップＳ５１５）。一致する情報が無い場合（Ｎｏ）、一致する件名が無い旨の表示要求を標準件名編集画面１４１または操作件名編集画面１４２に対して行う（ステップＳ５１６）。
【００８０】
次に、操作件名３０１の件名検索情報２１３が有する検索情報２１７を構成する電力系統設備コード２１９と操作内容２２０と操作順番１１１１を収集し（ステップＳ１３１３）、再度ステップＳ１３１２からステップＳ５１６までの処理を行い、処理を終了する。このように、実施例１と同等に、操作件名編集画面１４２だけでなく、標準件名編集画面１４１からも、標準件名作成時に、複写する件名の候補を検索により絞り込むことが可能となる。  
したがって、標準件名の作成効率を向上させることが可能となる。
【００８１】
また、操作件名に対しても、件名検索情報２１３を有することにより、複写する件名の候補となる件名を標準件名だけではなく、操作件名も対象となり、作成しようとする件名に類似した件名が操作件名にある場合には、件名検索手段１１３により抽出が可能となり、標準件名と操作件名の作成効率を向上させることが可能となる。
【００８２】
このように、検索対象の件名が増えることになるが、検索情報として、実施例１の電力系統設備コードと操作内容に加えて操作順番を追加することにより、件名検索手段２１３により検索条件に合致する件名を実施例１以上に絞り込むことが可能になり、その後の目視による複写対象の件名選択の効率化も、実施例１以上とすることが可能であるとともに、絞込み件数を少なくできるので、誤った操作順番の標準件名と操作件名の作成を防止することができる。
【実施例３】
【００８３】
図１０は、本発明の実施例３に従った電力系統監視制御用操作件名検索のための機能ブロック図である。
【００８４】
図１０において、図１と同一部分については同一符号を付して説明を省略する。
【００８５】
電子計算機１０３内の件名編集部に含まれる系統設備／操作内容自動作成手段１４１３は、ＣＲＴ装置１０４に表示した標準件名編集画面１４１または操作件名編集画面１４２からの件名検索情報２１３の自動編集要求を受けて、その編集結果を、標準件名保存部１２０の系統設備／操作内容保存手段１２２または１３２を介して、標準件名保存領域１２３または操作件名保存部１３０の系統設備／操作内容保存手段操作件名保存領域１３３に保存する。
【００８６】
すなわち、上記系統設備／操作内容自動作成手段１４１３は、標準件名編集画面１４１から自動編集要求を受けた場合、その編集結果を標準件名保存領域１２３に保存し、操作件名編集画面１４２から自動編集要求を受けた場合、その編集結果を操作件名保存領域１３３に保存する。
【００８７】
図１１は、系統設備／操作内容自動作成手段１４１３の処理内容を示すフローチャートである。
【００８８】
件名編集部１１０の系統設備／操作内容自動作成手段１４１３は、標準件名編集画面１４１または操作件名編集画面１４２からの自動編集要求を受けて、処理を開始する。図７（Ａ）及び図８（Ａ）に示す操作情報２１８を構成する操作順番２２１、電力系統機器コード２２２、操作方向２２３、操作種別２２４を操作順番の昇順に収集する（ステップＳ１５１１）。操作順番が最小の操作２１８から最大の操作２１８まで処理を実施し、最大の操作２１８に達したとき、この部分処理を終了する（ステップＳ１５１２）。
【００８９】
次に、各操作２１８ついて、操作種別が“操作”、“指令”、“確認”のうち、“操作または指令”であるか否かを判定し（ステップＳ１５１３）、合致した場合（Ｙｅｓ）、電力系統機器コード２２２に定義している電力系統機器が所属する電力系統設備を検索し（ステップＳ１５１４）、合致しない場合（Ｎｏすなわち“確認”の場合）、ステップＳ１５１２に戻り、次に処理するべき操作２１８に対して判定（ステップＳ１５１３）を繰り返す。電力系統機器と電力系統設備は、図４における機器４１４と設備４１３と同一のものであり、機器４１４は設備４１３に所属する関係にある。
【００９０】
つづいて、所属設備が引出口４２０か否かを判定し（ステップＳ１５１５）、引出口４２０である（Ｙｅｓ）場合、関連する区間４１６が所属する送電線を電力系統データ１５１から検索する（ステップＳ１５１６）。引出口４２０以外の場合（Ｎｏ）、つまり、変圧器４１８または母線４１９等の場合、電力系統機器が所属する電力系統設備を電力系統データから検索する（ステップＳ１５１７）。
【００９１】
次に、操作方向２２３が“入”方向か否かをか判定し（ステップＳ１５１８）、“入”方向（Ｙｅｓ）ならば、操作内容２２０を“復旧”と定義し（ステップＳ１５１９）、“切”方向（Ｎｏ）ならば、操作内容２２０を“停止”と定義する（ステップＳ１５２０）。
【００９２】
次に、検索した電力系統設備と操作内容の組み合わせが検索情報２１７に未登録か否かを判定し（ステップＳ１５２１）、未登録ならば（Ｙｅｓ）、検索情報２１７に、電力系統設備コード２１９と操作内容２２０を登録する（ステップＳ１５２２）。
【００９３】
Ｓ１５１３からＳ１５２２までの処理は、最大の操作２１８に対して実行するまで繰り返し行う。
【００９４】
このフローチャートは、操作種別が“確認”の場合には、Ｓ１５１４以降の処理を行わない例を示した。その理由は、操作種別が“確認”の操作とする位置づけが、“操作または指令”の実施前に電力系統状態を確認するための操作２１８であり、電力系統状態に変化を与える操作２１８ではないためである。
【００９５】
例えば、図２に示すように、標準件名の操作１に、引出口に所属する“△△ＳＳ、○○線１Ｌ、ＣＢ”に対して“切”の“操作”を行う定義がなされている場合、検索情報２１７には、引出口４２０と関連のある区間４１６が所属する送電線４１７は、“○○線１Ｌ”として定義される。
【００９６】
このとき、引出口４２０には、“△△ＳＳ、○○線１Ｌ”と定義され、“△△ＳＳ、○○線１Ｌ”の引出口４２０と関連のある区間４１６には、“○○線１Ｌ、○○線１Ｌ（△△電気所側）”が定義されているものとする。
【００９７】
検索情報２１７の自動作成後、必要に応じて、件名編集部１１０の系統設備／操作内容編集手段１０１２を用いて、引出口４２０と関連のある母線４１９の電力系統設備コードを検索情報２１７の電力系統設備コード２１９に定義してもよい。
【００９８】
このように、件名検索情報２１３を自動的に作成する系統設備／操作内容自動作成手段１４１３により、オペレータによる検索情報の登録が軽減されることになり、件名作成効率を高めることができる。
【００９９】
また、上記検索情報の登録が軽減により、オペレータによる検索情報の登録間違いによる誤った操作内容の標準件名と操作件名の作成を防止することができる。
【実施例４】
【０１００】
図１２は、本発明の実施例４に従った電力系統監視制御用操作件名検索方法のための機能ブロック図である。図１２において図１０と同一部分については同一符号を付して説明を省略する。以下に、実施例３と異なる点を説明する。
【０１０１】
電子計算機１０３中の件名編集部１１０に含まれる系統設備／内容／順番自動作成手段１６１３は、ＣＲＴ装置１０４に表示した標準件名編集画面１４１または操作件名編集画面１４２からの件名検索情報２１３の自動編集要求を受けて、編集結果を標準件名保存部１２０の系統設備／操作内容／順番保存手段１０２２または操作件名保存部１３０の系統設備／操作内容／順番保存手段１０３２を介して、標準件名保存領域１２３または操作件名保存領域１３３に保存する。
【０１０２】
すなわち、件名編集部１１０の上記系統設備／内容／順番自動作成手段１６１３は、標準件名編集画面１４１から自動編集要求を受けた場合、編集結果を標準件名保存領域１２３に保存し、操作件名編集画面１４２から自動編集要求を受けた場合、編集結果を操作件名保存領域１３３に保存する。
【０１０３】
図１３は、系統設備／内容／順番自動作成手段１６１３の処理内容を示すフローチャートである。  
図１３において、実施例３の図１１と同一部分については同一符号を付して説明を省略する。
【０１０４】
件名編集部１１０の上記系統設備／内容／順番自動作成手段１６１３は、ステップＳ１５１１の処理実施後、操作順番カウンタをゼロとする（ステップＳ１７１１）。そして、ステップＳ１５１２からステップＳ１５２２まで実施する。
【０１０５】
その後、操作順番をカウントアップし（ステップＳ１７１２）、カウントアップした値を検索情報２１７の操作順番１１１１に登録し（ステップＳ１７１３）、ステップＳ１５１３からステップＳ１７１３までの処理を、最大の操作２１８に対して実行するまで繰り返し行う。
【０１０６】
このように、件名検索情報を自動的に作成する件名編集部１１０の系統設備／操作／順番自動作成手段１６１３により、オペレータによる検索情報の登録が軽減されるので、件名作成効率を著しく高めることができる。
【０１０７】
また、上記検索情報の登録の軽減により、オペレータによる検索情報の登録間違いによる誤った操作順番の標準件名と操作件名の作成を防止することができる。
【図面の簡単な説明】
【０１０８】
【図１】本発明の実施例１における電力系統監視制御用操作件名検索方法の機能ブロック図である。
【図２】（Ａ）は図１中の標準件名保存領域に格納されている標準件名、（Ｂ）はその一例を示す図である。
【図３】（Ａ）は図１中の操作件名保存領域に格納されている操作件名、（Ｂ）はその一例を示す図である。
【図４】図１中の電力系統データ保存領域に格納されている電力系統データの例を示す図である。
【図５】本発明の実施例１における件名検索手段の処理内容を示すフローチャートである。
【図６】本発明の実施例２における電力系統監視制御用操作件名検索方法の機能ブロック図である。
【図７】（Ａ）は図６中の標準件名保存領域に格納されている標準件名、（Ｂ）はその一例を示す図である。
【図８】（Ａ）は図６中の操作件名保存領域に格納されている操作件名、（Ｂ）はその一例を示す図である。
【図９】本発明の実施例２における件名検索手段の処理内容を示すフローチャートである。
【図１０】本発明の実施例３における電力系統監視制御用操作件名検索方法の機能ブロック図である。
【図１１】本発明の実施例３における系統設備／操作内容自動作成手段の処理内容を示すフローチャートである。
【図１２】本発明の実施例４における電力系統監視制御用操作件名検索方法の機能ブロック図である。
【図１３】本発明の実施例４における系統設備／内容／順番自動作成手段の処理内容を示すフローチャートである。
【図１４】従来技術を使用した電力系統監視制御用操作件名検索方法の機能ブロック図の一例である。
【図１５】（Ａ）は図１４に示した標準件名保存領域に格納されている標準件名、（Ｂ）はその一例を示す図である。
【図１６】（Ａ）は図１４に示した操作件名保存領域に格納されている操作件名、（Ｂ）はその一例を示す図である。
【図１７】従来技術を使用した件名検索手段の処理内容を示すフローチャートである。
【符号の説明】
【０１０９】
１０１…電力系統、１０２…情報伝送装置、１０３…電子計算機、１４０…ＣＲＴ装置、１４１…標準件名編集画面、１４２…操作件名編集画面、１１０…件名編集部、１１１…件名識別情報／手順表編集手段、１１２…系統設備／操作内容編集手段、１１３，５１０，９１０，１３１０…件名検索手段、１２０…標準件名保存部、１２１…件名識別情報／手順表保存手段、１２２…系統設備／操作内容保存手段、１２３…標準件名保存領域、１３０…操作件名保存部、１３１…件名識別情報／手順表保存手段、１３２…系統設備／操作内容保存手段、１３３…操作件名保存領域、１４１…標準件名編集画面、１４２…操作件名編集画面、１５０…電力系統データ保存部、１５１，４１０…電力系統データ保存領域、
２０１…標準件名、２１１…件名、２１２…件名識別情報、２１３…件名検索情報、２１４…手順表、２１５…件名番号、２１６…件名名称、２１７…検索情報、２１８…操作、２１９…電力系統設備コード、２２０…操作内容、２２１…操作順番、２２２…電力系統機器コード、２２３…操作方法、２２４…操作種別、
３０１…操作件名、３１１…操作予定日時、
４１１…電力系統、４１２…電気所、４１３…設備、４１４…機器、４１５…接続線、４１６…区間、４１７…送電線、４１８…変圧器、４１９…母線、４２０…引出口、４２１…開閉器、４２２…４３ＳＷ、
６１２…系統設備編集手段、６２２…系統設備保存手段、
１０１２…系統設備／操作内容／順番編集手段、１０２２…系統設備／操作内容／順番保存手段、１０３２…系統設備／操作内容／順番保存手段、
１１１１…操作順番、
１４１４、１５１０…系統設備／操作内容自動作成手段
１６１４、１７１０…系統設備／内容／順番自動作成手段
【図１】
2008011685.tif 000003
【図２】
2008011685.tif 000004
【図３】
2008011685.tif 000005
【図４】
2008011685.tif 000006
【図５】
2008011685.tif 000007
【図６】
2008011685.tif 000008
【図７】
2008011685.tif 000009
【図８】
2008011685.tif 000010
【図９】
2008011685.tif 000011
【図１０】
2008011685.tif 000012
【図１１】
2008011685.tif 000013
【図１２】
2008011685.tif 000014
【図１３】
2008011685.tif 000015
【図１４】
2008011685.tif 000016
【図１５】
2008011685.tif 000017
【図１６】
2008011685.tif 000018
【図１７】
2008011685.tif 000019